(57)【要約】【課題】コンピュータなどの情報処理装置にＵＳＢ機器を接続した場合に、情報処理装置の動作に支障をきたすことを防止できるＵＳＢ中継器を提供する。【解決手段】情報処理装置１０のＵＳＢ端子１１に一端が接続される第１のＵＳＢ接続部２と、ＵＳＢ機器２０のＵＳＢ端子２１に一端が接続される第２のＵＳＢ接続部３と、第１のＵＳＢ接続部２の他端と第２のＵＳＢ接続部３の他端との間に設けられ、切替回路４を有する中継部５と、中継部５に接続されて、中継部５へ外部からの電力を送る外部電力供給部６と、を備える。第１のＵＳＢ接続部２のバス電力線に中継部５の切替回路４が接続され、切替回路４により、第１のＵＳＢ接続部２のバス電力線に電圧が印加されている場合に、外部電力供給部６を第２のＵＳＢ接続部３のバス電力線に接続して外部電力供給部６からの電力をＵＳＢ機器２０に供給する。【選択図】図２
2018081333.tif 000002
【特許請求の範囲】
【請求項１】
情報処理装置と、ＵＳＢバスから電力を受けて動作可能なＵＳＢ機器と、を中継するＵＳＢ中継器であって、
前記情報処理装置のＵＳＢ端子に接続される第１のＵＳＢ接続部と、
前記ＵＳＢ機器のＵＳＢ端子に接続される第２のＵＳＢ接続部と、
前記第１のＵＳＢ接続部と前記第２のＵＳＢ接続部との間に設けられ、切替回路を有する中継部と、
前記中継部に接続されて、外部からの電力を前記中継部へ送る外部電力供給部と、
を備えており、
前記中継部の前記切替回路は、前記第１のＵＳＢ接続部のバス電力線と、前記第２のＵＳＢ接続部のバス電力線と、前記外部電源供給部とに接続されており、前記第１のＵＳＢ接続部のバス電力線に電圧が印加されている場合に、前記外部電力供給部からの電力を前記第２のＵＳＢ接続部のバス電力線を経由して前記ＵＳＢ機器に供給する
ことを特徴とするＵＳＢ中継器。
【請求項２】
前記中継部において、前記第１のＵＳＢ接続部のデータ線と第２のＵＳＢ接続部のデータ線とを接続して導通させていることを特徴とする請求項１に記載のＵＳＢ中継器。
【請求項３】
外部電力供給部にはＡＣアダプタが接続されることを特徴とする請求項１または請求項２に記載のＵＳＢ中継器。
【請求項４】
前記切替回路においてＦＥＴが設けられ、ＦＥＴのゲートに第１のＵＳＢ接続部のＵＳＢバス電力線が接続され、ＦＥＴのドレインに外部電力供給部が接続され、ＦＥＴのソースに第２のＵＳＢ接続部のバス電力線が接続されることを特徴とする請求項１ないし請求項３の何れか１項に記載のＵＳＢ中継器。
【発明の詳細な説明】
【技術分野】
【０００１】
本発明はコンピュータなどの情報処理装置と周辺機器との間に配設されるＵＳＢ中継器に関するものである。
【背景技術】
【０００２】
コンピュータなどの情報処理装置（ホスト機器）に周辺機器（デバイス）を接続してデータ通信を行うインターフェース規格の一つとして、ＵＳＢ（Universal Serial Bus）規格がすでに広く知られている。このＵＳＢ規格において機器間の接続に用いられるケーブル（ＵＳＢケーブルとも称す）は、データを入出力するためのデータ線に加えて電源供給線（バスパワー線とも称す）を有しているため、ＵＳＢケーブルを介して、コンピュータなどの情報処理装置から周辺機器（ＵＳＢケーブルを介して接続されている周辺機器を、ＵＳＢ機器とも称す）に対して、データ通信を行うだけでなく、バスパワー線によって電力を供給可能に構成されている（いわゆるバスパワー駆動）。なお、ＵＳＢケーブル（詳しくはＵＳＢケーブルに含まれるバスパワー線）を介して電力が供給できることを利用して、ＵＳＢケーブルから供給される電力を、ＵＳＢケーブルへ実際に接続されているＵＳＢ機器だけでなく、他の外部機器などにも供給可能に構成した装置が、例えば特許文献１に開示されている。また、特許文献２には、電圧レベルを変換する電子回路を用いることにより、本来ならばＵＳＢケーブルからの電力供給に対応していない機器へ、ＵＳＢケーブル経由で電力供給する技術が開示されている。
【先行技術文献】
【特許文献】
【０００３】
【特許文献１】特開２００５−２０２６４１号公報
【特許文献２】特開２００１−１２５６８９号公報
【発明の概要】
【発明が解決しようとする課題】
【０００４】
しかし、ＵＳＢ機器の電力の消費量が大きいと、ＵＳＢケーブルを通してコンピュータなどの情報処理装置を動作させるために使用されるべき電力が、ＵＳＢ機器の側で多く消費されてしまうため、情報処理装置の動作に支障をきたす不具合が発生する恐れがある。
【０００５】
このような不具合が発生しないように、ＵＳＢ機器にＵＳＢケーブルだけでなくＡＣアダプタなどの外部電源も接続することにより、ＵＳＢ機器が消費する電力を、外部電源によって供給するものがある。しかしながら、この場合には、外部電源からＵＳＢ機器に供給される電力（電流）が、ＵＳＢ機器に接続されているコンピュータなどの情報処理装置へ、ＵＳＢケーブルを通して流れ込んで（逆流して）しまい、場合によっては、情報処理装置の電源が切断できなくなるなど、情報処理装置の動作に支障をきたしてしまうことがあった。
また、ＵＳＢ機器へ外部電源から電力を供給する場合、ＵＳＢ機器にはＵＳＢ端子とＵＳＢ通信用の回路だけでなく、外部電源と接続するための専用の受電コネクタや受電回路が必要となり、ＵＳＢ機器のサイズが大きくなってしまうという問題もあった。
【０００６】
本発明は、上記課題を解決するもので、コンピュータなどの情報処理装置にＵＳＢ機器を接続した場合に、ＵＳＢ機器へ十分な電力を供給しつつも、情報処理装置の動作に支障をきたすことを防止できるＵＳＢ中継器を提供することを目的とするものである。
【課題を解決するための手段】
【０００７】
上記課題を解決するために、本発明に係るＵＳＢ中継器は、情報処理装置と、ＵＳＢバスから電力を受けて動作可能なＵＳＢ機器と、を中継するＵＳＢ中継器であって、前記情報処理装置のＵＳＢ端子に一端が接続される第１のＵＳＢ接続部と、前記ＵＳＢ機器のＵＳＢ端子に一端が接続される第２のＵＳＢ接続部と、前記第１のＵＳＢ接続部の他端と前記第２のＵＳＢ接続部の他端との間に設けられ、切替回路を有する中継部と、前記中継部に接続されて、前記中継部へ外部からの電力を送る外部電力供給部と、を備え、前記第１のＵＳＢ接続部のバス電力線に前記中継部の切替回路が接続され、前記切替回路により、前記第１のＵＳＢ接続部のバス電力線に電圧が印加されている場合に、前記外部電力供給部を前記第２のＵＳＢ接続部のバス電力線に接続して前記外部電力供給部からの電力を前記ＵＳＢ機器に供給することを特徴とする。
【０００８】
このＵＳＢ中継器を用いて情報処理装置（コンピュータなど）とＵＳＢ機器とを接続するにあたっては、情報処理装置のＵＳＢ端子に第１のＵＳＢ接続部を接続し、ＵＳＢ機器のＵＳＢ端子に第２のＵＳＢ接続部を接続し、外部電力供給部には商用電源に接続されたＡＣアダプタや電池などの外部電源から電力が供給される状態としておく。この状態で、情報処理装置が通電されていない場合（ＯＦＦの場合）には、第１のＵＳＢ接続部のバス電力線に電圧が印加されていないために、外部電力供給部からの電力はＵＳＢ機器には供給されず、ＵＳＢ機器は駆動されない。一方、情報処理装置が通電される（ＯＮになる）と、第１のＵＳＢ接続部のバス電力線に情報処理装置の電圧（詳しくは情報処理装置のＵＳＢ端子のバス電力線の電圧）が印加されるため、切替回路によって外部電力供給部からの電力が第２のＵＳＢ接続部を通してＵＳＢ機器に供給される状態となり、ＵＳＢ機器が駆動される。
【０００９】
すなわち、本発明に係るＵＳＢ中継器を介して情報処理装置と接続されているＵＳＢ機器が駆動される際には、外部からの電力でＵＳＢ機器が駆動されることになる。そして、情報処理装置のＵＳＢ端子のバス電力線は、ＵＳＢ機器へ直接電力を供給することには用いられず、中継部の切替回路によって第１のＵＳＢ接続部のバス電力線の電圧を介した電圧印加の有無が検知されるだけである。したがって、ＵＳＢ機器の電力の消費量が大きくても、コンピュータなどの情報処理装置の電力が自身のＵＳＢ端子のバス電力線を通じて多く消費されることがなくなる。また、コンピュータなどの情報処理装置のＵＳＢ端子は第１のＵＳＢ接続部を介して中継部に接続されているのみであり、ＵＳＢ機器とも外部電源とも直接導通していないので、外部電源からＵＳＢ機器に供給される電力（電流）が、情報処理装置に流れ込んで（逆流して）しまうこともない。したがってこのＵＳＢ中継器によれば、情報処理装置の動作に支障をきたすことを防止できる。
さらに、このＵＳＢ中継器を用いれば、ＵＳＢ機器は外部電源による電力をＵＳＢ端子から受け取ることができるので、外部電源と接続するための専用の受電端子や受電回路が必要ない。そのため、ＵＳＢ機器のサイズを小さくすることができる。
【００１０】
また、上記の構成に加えて、前記第１のＵＳＢ接続部のデータ線と第２のＵＳＢ接続部のデータ線とを接続して導通させることで、これらのデータ線を通して、情報処理装置とＵＳＢ機器との間でデータを良好に入出力することができる。
【００１１】
なお、外部電力供給部にはＡＣアダプタが接続されていると好適である。
また、前記切替回路においてＦＥＴが設けられ、ＦＥＴのゲートに第１のＵＳＢ接続部のＵＳＢバス電力線が接続され、ＦＥＴのドレインに外部電力供給部が接続され、ＦＥＴのソースに第２のＵＳＢ接続部のバス電力線が接続される構成としてもよい。
【発明の効果】
【００１２】
本発明によれば、ＵＳＢ中継器を介してコンピュータなどの情報処理装置と接続されたＵＳＢ機器の電力の消費量が大きくても、ＵＳＢ中継器を通して情報処理装置の電力が多く消費されることがない。また、外部電源からＵＳＢ機器に供給される電力（電流）が、ＵＳＢケーブルを通して情報処理装置に流れ込んで（逆流して）しまうことがない。したがって、ＵＳＢ機器に外部電源から十分な電力を供給しつつも、情報処理装置の動作に支障をきたすことを防止できる。
【００１３】
また、第１のＵＳＢ接続部のデータ線と第２のＵＳＢ接続部のデータ線とを接続して導通させてあれば、ＵＳＢ機器への電力供給は外部電源から行いつつも、情報処理装置とＵＳＢ機器との間でのデータ通信を良好に行うことができる。
【００１４】
また、切替回路においてＦＥＴが設けられ、ＦＥＴのゲートに第１のＵＳＢ接続部を介して情報処理装置のＵＳＢバス電力線が接続される構成とすることで、情報処理装置のＵＳＢバス電力線からはほとんど電流が流れ出さないことになり、情報処理装置を動作させるための電力がＵＳＢ機器側に流れ出してしまって情報処理装置の動作に支障が生じることをより確実に防ぐことができる。
【図面の簡単な説明】
【００１５】
【図１】本発明の実施の形態の一例に係るＵＳＢ中継器を示す図である。
【図２】同ＵＳＢ中継器に、情報処理装置とＵＳＢ機器とを接続した状態を示す図である。
【図３】同ＵＳＢ中継器の内部構成を概略的に示すブロック図である。
【発明を実施するための形態】
【００１６】
以下、本発明の実施の形態の一例に係るＵＳＢ中継器を図面に基づき説明する。
図１、図２に示すように、本実施形態のＵＳＢ中継器１は、コンピュータなどの情報処理装置１０と、ＵＳＢバスからの電力を受けて動作可能な周辺機器（デバイス）であるＵＳＢ機器２０と、を中継する装置である。このＵＳＢ中継器１は、情報処理装置１０のＵＳＢ端子１１に一端が接続される第１のＵＳＢ接続部としての第１のＵＳＢケーブル２と、ＵＳＢ機器２０のＵＳＢ端子２１に一端が接続される第２のＵＳＢ接続部としての第２のＵＳＢケーブル３と、第１のＵＳＢケーブル２の他端と第２のＵＳＢケーブル３の他端との間に設けられ、切替回路４を有する中継部５と、中継部５に接続されて、中継部５へ外部からの電力を送る外部電力供給部としての外部電力供給ケーブル６と、を備えている。この実施の形態では、外部電力供給ケーブル６は図２に示すようにＡＣアダプタ（ＡＣ（交流）／ＤＣ（直流）変換器）７に接続されて、ＡＣアダプタ７が交流電源８（例えば交流１００Ｖの商用電源のコンセント）に接続され、外部電力供給ケーブル６には、ＡＣアダプタ７から、ＵＳＢ機器２０が動作するために必要な電圧（ＵＳＢバスの５Ｖと同程度）で電力（直流）が供給される。なお、図１、図２に示すように、第１のＵＳＢケーブル２の一端にはＵＳＢ接続端子２ａが取り付けられており、第２のＵＳＢケーブル３の一端にはＵＳＢ接続端子３ａが取り付けられている。
【００１７】
図３に示すように、第１のＵＳＢケーブル２および第２のＵＳＢケーブル３は、それぞれデータ線２ｂ，３ｂと、バス電力線２ｃ，３ｃ（ＶＢＵＳ）と、接地線２ｄ，３ｄ（ＧＮＤ）を含んでおり、第１のＵＳＢケーブル２のバス電力線２ｃに中継部５の切替回路４が接続されている。そして、切替回路４により、第１のＵＳＢケーブル２のバス電力線２ｃに電圧が印加されている場合に、外部電力供給ケーブル６を第２のＵＳＢケーブル３のバス電力線３ｃに接続して、外部電力供給ケーブル６からの電力（外部電力）をＵＳＢ機器２０に供給する。
【００１８】
また、中継部５は、第１のＵＳＢケーブル２のデータ線２ｂと第２のＵＳＢケーブル３のデータ線３ｂとを接続して導通させている。一方、第１のＵＳＢケーブル２のバス電力線２ｃと第２のＵＳＢケーブル３のバス電力線３ｃとは互いに接続されておらず、上述したように、第１のＵＳＢケーブル２のバス電力線２ｃに中継部５の切替回路４が接続されている。また中継部５内では第１のＵＳＢケーブル２の接地線２ｄと第２のＵＳＢケーブル３の接地線３ｄとが互いに接続されており、これらの接地線が高抵抗値（例えば１ｋΩ〜１ＭΩ）の抵抗器５Ｒを介して第２のＵＳＢケーブル３のバス電力線３ｃと接続されている。
【００１９】
切替回路４は、例えば、ＦＥＴ（電界効果トランジスタ）９で構成され、ＦＥＴ９のゲート９ｇに第１のＵＳＢケーブル２のバス電力線２ｃが接続され、ＦＥＴ９のドレイン９ｄに外部電力供給ケーブル６が接続され、ＦＥＴ９のソース９ｓに第２のＵＳＢケーブル３のバス電力線３ｃが接続される。
【００２０】
このように構成されたＵＳＢ中継器１を用いてコンピュータなどの情報処理装置１０とＵＳＢ機器２０とを接続するにあたって、ユーザは、図２に示すように、情報処理装置１０のＵＳＢ端子１１に第１のＵＳＢケーブル２を接続し、ＵＳＢ機器２０のＵＳＢ端子２１に第２のＵＳＢケーブル３を接続し、ＡＣアダプタ７を交流電源８に接続して外部電力供給ケーブル６へ外部の直流電源が接続された状態とする。この状態で、情報処理装置１０が通電されていない場合（電源ＯＦＦの場合）には、第１のＵＳＢケーブル２のバス電力線２ｃに、情報処理装置１０からの電圧が印加されないため、切替回路４は外部電力供給ケーブル６と第２のＵＳＢケーブル３のバス電力線３ｃとの間の導通を遮断する（ＦＥＴ９のドレイン９ｄとソース９ｓの間に電流が流れない）。そのため、外部電力供給ケーブル６に接続している外部電源（ここではＡＣアダプタ７）からの電力はＵＳＢ機器２０には供給されず、ＵＳＢ機器２０は駆動されない。一方、情報処理装置１０が通電される（電源がＯＮになる）と、第１のＵＳＢケーブル２のバス電力線２ｃに情報処理装置１０からの電圧（詳しくは情報処理装置１０のＵＳＢ端子１１のバス電力線の電圧）が印加されるため、ＦＥＴ９のゲート９ｇとソース９ｓ間に電位差が生じる。するとＦＥＴ９のドレイン９ｄとソース９ｓの間に電流が流れる、つまり切替回路４は外部電力供給ケーブル６と第２のＵＳＢケーブル３のバス電力線３ｃとの間を導通させる。そのため、外部電力供給ケーブル６に接続している外部電源からの電力が第２のＵＳＢ接続部３のバス電力線３ｃを通してＵＳＢ機器２０に供給され、ＵＳＢ機器２０が駆動される。
【００２１】
以上のように、ＵＳＢ機器２０が駆動される際は、外部電力供給ケーブル６を通じて外部電源からの電力でＵＳＢ機器２０が駆動される。このとき、中継部５の切替回路４は、第１のＵＳＢケーブル２のバス電力線２ｃの電圧を検知して外部電力供給ケーブル６と第２のＵＳＢケーブル３のバス電力線３ｃとの間を導通させるだけである。したがって、第１のＵＳＢケーブル２に大きな電流が流れることはないので、ＵＳＢ機器２０の電力の消費量が大きくても、情報処理装置１０に接続されている第１のＵＳＢケーブル２を通して情報処理装置１０を動作させるために用いられるべき電力が多く消費されることはない。また、切替回路４を含む中継部５においては前述の通り、第１のＵＳＢケーブル２のバス電力線２ｃと第２のＵＳＢケーブル３のバス電力線３ｃとは互いに接続されていないので、外部電力供給ケーブル６から第２のＵＳＢケーブル３のバス電力線３ｃを通じてＵＳＢ機器２０へと電流が流れるとき、その電流は第１のＵＳＢケーブル２のバス電力線２ｃへは流れない。そのため、外部電源からの電流が第１のＵＳＢケーブル２を通して情報処理装置１０に流れ込んで（逆流して）しまうこともなく、この結果、情報処理装置１０の動作に支障をきたすことを防止できる。さらに、情報処理装置１０が通電されていない場合（ＯＦＦの場合）にはＵＳＢ機器２０には電力が供給されない、つまりＵＳＢ機器２０もＯＦＦとなるので、ＵＳＢ機器２０のＯＮ／ＯＦＦ状態を、情報処理装置１０のＯＮ／ＯＦＦ状態と一致させることができる。
また、ＵＳＢ機器２０を外部電源からの電力で動作させつつも、ＵＳＢ機器２０はその電力をＵＳＢ端子２１から受け取ることができるため、外部電源と接続するための専用の受電端子や受電回路が必要ない。そのため、ＵＳＢ機器２０のサイズを小さくすることができる。
【００２２】
また、第１のＵＳＢ接続ケーブル２のデータ線２ｂと第２のＵＳＢ接続ケーブル３のデータ線３ｂとを接続して導通させることで、ＵＳＢ機器２０を動作させるための電力は外部電源から供給しつつも、データ線２ｂ、３ｂを通して、情報処理装置１０とＵＳＢ機器２０との間でデータを良好に入出力することができる。
【００２３】
また、中継部５の切替回路４においてＦＥＴ９が設けられ、ＦＥＴ９のゲート９ｇに第１のＵＳＢケーブル２のバス電力線２ｃが接続され、ＦＥＴ９のドレイン９ｄに外部電力供給ケーブル６が接続され、ＦＥＴ９のソース９ｓに第２のＵＳＢ接続ケーブル３のバス電力線３ｃが接続される構成とすることで、中継部５を、簡単な構成で安価に製造することができる。また、ＦＥＴ９のゲート９ｇとソース９ｓとの間にはほとんど電流が流れないため、以上のような接続であれば情報処理装置１０のバス電力線と接続されている第１のＵＳＢケーブル２のバス電力線２ｃからはほとんど電流が流れ出さないことになり、情報処理装置１０を動作させるための電力がＵＳＢ機器２０側に流れ出してしまって情報処理装置１０の動作に支障が生じることをより確実に防ぐことができる。
【００２４】
なお、上記実施の形態では、コンピュータなどの情報処理装置１０に対してＵＳＢ機器２０が１つだけ接続されている場合を述べたが、複数のＵＳＢ機器２０が情報処理装置１０に対して並列に接続されている場合には、接続箇所ごとにこのＵＳＢ中継器１を設ければよい。一方、複数のＵＳＢ機器２０が情報処理装置１０に対して直列に接続されている場合には、情報処理装置１０に直接接続されるＵＳＢ機器２０（すなわち、最上流のＵＳＢ機器２０）との接続箇所にこのＵＳＢ中継器１を設け、下流側のＵＳＢ機器２０に対しては、直にＵＳＢ接続すればよい。情報処理装置１０と直接に接続が行われる箇所にさえＵＳＢ中継器１を設ければ、情報処理装置１０の動作に支障をきたすことを防止しつつ、下流側のＵＳＢ機器２０に外部電力供給ケーブル６からの電力を供給することができる。
【００２５】
また、上記実施の形態では、第１のＵＳＢ接続部として、第１のＵＳＢケーブル２の一端にＵＳＢ接続端子２ａが接続されている構成を示したが、第１のＵＳＢ接続部の構成はこれに限るものではなく、ＵＳＢ接続端子２ａと中継部５との間にケーブルを設けずに、ＵＳＢ接続端子２ａが中継部５と直結された構成であってもよい。また同様に、第２のＵＳＢ接続部も、ケーブルを省略して、ＵＳＢ接続端子３ａが中継部５と直結された構成であってもよい。
【００２６】
また、上記実施の形態では、外部電力供給部として、ＡＣアダプタ７が接続されている外部電力供給ケーブル６が設けられている構成を示したが、外部電力供給部の構成はこれに限るものではなく、ＵＳＢ機器２０を駆動できる電力を外部から供給できるものであればよい。例えば電池が中継部５へ接続されたものであってもよい。
【００２７】
また、上記の実施の形態では、ＵＳＢ機器２０として、電力が供給されて駆動されるとともにデータの入出力を行うものである場合を述べたが、これに限るものではなく、データの入出力を行わずに、電力が供給されて駆動されるものである場合でもよく、このような構成のＵＳＢ機器２０の場合でも、情報処理装置１０の動作に支障をきたすことを防止しながら、ＵＳＢ機器２０を駆動、停止させることができる。
また、上記の実施の形態では、ＦＥＴ９が第１のＵＳＢケーブル２のバス電力線２ｃ（ＰＣ側のＶＢＵＳライン）の電位と接地線２ｄ，３ｄ（ＧＮＤ）との電位差を検知できるようにするため、ソース９ｓと接地線２ｄ，３ｄとの間に配置されるように抵抗器５Ｒを設けている。しかしながら実際のＵＳＢ機器２０は、電力の観点からは、バス電力線３ａ（ＶＢＵＳ）と接地線３ｄ（ＧＮＤ）との間が内部抵抗（抵抗値は動作状態により可変）で接続された回路と等価であるとみなすこともできる。そのため、実際には抵抗器５Ｒがなくとも、ＦＥＴ９はＵＳＢ機器２０の内部抵抗を介して前述の電位差を検知することができる。よって抵抗器５Ｒを省略して、中継器５内で第２のＵＳＢケーブル３のバス電力線３ｃと接地線２ｄ，３ｄとが完全に分離（絶縁）しているように構成してもよい。
また、上記の実施の形態では、切替回路４をＦＥＴ９で構成したが、これに限るものではなく、情報処理装置１０側のバス電力線２ｃへの電圧印加の有無に応じて外部電力供給ケーブル６とＵＳＢ機器２０側のバス電力線３ｃとの間の導通を遮断または接続するものであればよく、例えばフォトカプラやリレーによって切替回路４を構成してもよい。また、ゲート９ｇ−ソース９ｓ間に流れる電流を極力小さくし、かつ外部電源からＰＣ側への電流の逆流をより確実に防ぐため、ＦＥＴ９としてパワーＭＯＳＦＥＴを用いてもよい。一方、ＵＳＢケーブル２のバス電力線２ｃから多少の電流が流れ出してもよいのであれば、バイポーラトランジスタを用いてもよい。
【符号の説明】
【００２８】
１      ＵＳＢ中継器
２      第１のＵＳＢケーブル（第１のＵＳＢ接続部）
２ａ    ＵＳＢ接続端子
２ｂ    データ線
２ｃ    バス電力線
２ｄ    接地線
３      第２のＵＳＢケーブル（第２のＵＳＢ接続部）
３ａ    ＵＳＢ接続端子
３ｂ    データ線
３ｃ    バス電力線
３ｄ    接地線
４      切替回路
５      中継部
６      外部電力供給ケーブル（外部電力供給部）
７      ＡＣアダプタ
８      交流電源
９      ＦＥＴ（電界効果トランジスタ）
９ｄ    ドレイン
９ｇ    ゲート
９ｓ    ソース
１０    情報処理装置
１１    ＵＳＢ端子
２０    ＵＳＢ機器
２１    ＵＳＢ端子
【図１】
2018081333.tif 000003
【図２】
2018081333.tif 000004
【図３】
2018081333.tif 000005